(57)【要約】【課題】書店に来店した顧客が実物の図書や設置型の専用表示端末装置を使用せずに図書内容を確認することが可能となるようにする。【解決手段】図書の内容や著者や出版社などの図書情報が記憶されたデータベース２０１をインターネットを介して接続可能な状態で設置する。書店３００に設置されたパソコンなどの情報端末装置３０１上にデータベース２０１に接続するための情報を表示し、インターネットに接続する機能を有する携帯電話機などの通信端末装置１００を用いてこの情報を取得することによってデータベース２０１に接続し特定の図書情報を取得し表示する。【選択図】図１
2010061625.tif 000002
【特許請求の範囲】
【請求項１】
図書の内容や著者や出版社などの図書情報が記憶されインターネットに接続されたデータベースと、インターネットに接続して情報を取得表示する機能を有する通信端末装置と、書店に設置された情報端末装置で構成され、前記情報端末装置で提供されるあらかじめ定められた規則によって変化する情報を前記通信端末装置で取得し、取得した情報があらかじめ定められた条件に適合する場合に前記データベース上の特定の図書情報を前記通信端末装置が取得表示可能とすることを特徴とする図書情報提供システム。
【請求項２】
書店に設置された前記情報端末装置によって提供される時刻を含む情報を前記通信端末装置で取得することによって、インターネットに接続された前記データベースに記憶された特定の図書情報をあらかじめ定められた時刻まで取得することが可能となることを特徴とする請求項１記載の図書情報提供システム。
【請求項３】
前記情報端末装置によって提供される情報に店舗情報などを含ませ前記通信端末装置で読み取ることによって、前記データベースに記憶された特定の図書情報を取得した顧客がどの店舗に来店したかを識別することができるようにすることを特徴とする請求項１記載の図書情報提供システム。
【請求項４】
前記情報端末装置に表示されるＵＲＬなどの情報が含まれる二次元コードを二次元コード読み取り機能を有する前記通信端末装置で読み取ることによって、前記データベースに記憶された特定の図書情報を取得することを特徴とする請求項１または請求項２または請求項３記載の図書情報提供システム。
【請求項５】
前記情報端末装置によって提供されるＵＲＬなどの情報が含まれる電子データをＩＣカードリーダ機能を有する前記通信端末装置で読み取ることによって、前記データベースに記憶された特定の図書情報を取得することを特徴とする請求項１または請求項２または請求項３記載の図書情報提供システム。
【請求項６】
図書に印刷されたバーコードや二次元コードで表示される図書固有の情報をバーコード読み取り機能を有する前記情報端末装置で読み取ることによって、前記通信端末装置が前記情報取得端末から取得する情報に図書固有の情報を含ませ、この固有の情報と対応する前記データベースに記憶された図書情報を前記情報端末装置で取得することを特徴とする請求項１または請求項２または請求項３記載の図書情報提供システム。
【請求項７】
図書に添付されたＩＣタグに記憶された図書固有の情報をＩＣタグリーダ機能を有する前記情報端末装置で読み取ることによって、前記通信端末装置が前記情報端末から取得する情報に図書固有の情報を含ませ、この固有の情報と対応する前記データベースに記憶された図書情報を前記情報端末装置で取得することを特徴とする請求項１または請求項２または請求項３記載の図書情報提供システム。
【発明の詳細な説明】
【技術分野】
【０００１】本発明は、書籍や雑誌などの図書を販売する各種形態の小売店舗（以下書店という）において、図書の内容や著者および出版社、出版日などの図書に関する情報（以下図書情報という）をインターネットに接続する機能を有する携帯電話機などの通信端末装置を用いて取得表示させるシステムに関するものである。
【背景技術】
【０００２】従来から書籍や雑誌などの図書の購入に際しては、顧客が購入前に書店店頭において内容を確認したいという要求があった。書店には顧客の求める図書の在庫がない場合や、在庫があっても包材などによって内容が確認できない状態で陳列されている場合もあるため、顧客が希望の図書の内容を書店店頭で確認できないことがあった。【０００３】近年、情報通信技術の発達によってインターネット上に開設された仮想店舗から図書を購入することや図書を電子書籍データとして閲覧購入することが可能となった。パソコンや携帯電話機などに顧客が希望する図書の内容を表示させて確認することができるようになれば、顧客が書店に行く必要性は低下するが既存の書店経営に対しては収益を低下させる可能性がある。【０００４】このような状況に対して、書店に設置した情報通信ネットワークに接続された専用の電子書籍表示端末装置に顧客が希望する図書の内容を表示させるシステムが提案されている。（特許文献１参照）
【特許文献１】特開２００３−６７４６４号公報
【発明の開示】
【発明が解決しようとする課題】
【０００５】しかしながら、書店に設置した専用の端末に図書内容を表示させるシステムでは、電子書籍表示端末装置本体、周辺機器、通信インフラ、運用管理等に費用が掛かり、同時に図書内容を閲覧できる顧客数は書店に設置された端末台数に制限されるなどの問題がある。
【課題を解決するための手段】
【０００６】上記問題を解決するために請求項１に記載された発明は、図書情報が記憶されインターネットに接続されたデータベースに接続するためのＵＲＬを含む情報を書店で提供し、インターネットに接続する機能を有する携帯電話機など顧客が所有する通信端末装置を用いて読み取ることによって前記データベースに接続して特定の図書情報を取得させる構成とし、書店で提供する前記データベースへの接続情報をあらかじめ定められた規則で変化させることによってある時間が経過した後は再度書店において接続のための情報を取得しなければ前記通信端末装置を用いた特定の図書情報の取得ができなくなることを特徴とする。【０００７】請求項２に記載された発明は、請求項１に記載されたあらかじめ定められた規則の一実施例として時刻情報を用いており、前記データベースから図書情報を取得できる時刻を書店で取得した時刻情報を参照しあらかじめ定められた時刻までとすることを特徴とする。【０００８】請求項３に記載された発明は、前記通信端末装置を用いて書店で提供される店舗固有の情報を取得した上で前記データベースに接続することによって、顧客がどの店舗で情報を取得したかを識別することが可能となることを特徴とする。【０００９】請求項４に記載された発明は、書店でインターネットに接続するためのＵＲＬを含む情報を二次元コードで表示し、カメラ付き携帯電話機などの通信端末装置を用いてこれを取得判読して前記データベースに接続することを特徴とする。【００１０】請求項５に記載された発明は、書店でインターネットに接続するためのＵＲＬを含む情報を電子データとして作成し、ＩＣカードリーダ機能を有する携帯電話機などの通信端末装置を用いてこれを取得判読して前記データベースに接続することを特徴とする。【００１１】請求項６に記載された発明は、図書に印刷された書籍ＪＡＮコードや二次元コードなどで表示される図書固有の情報を前記情報端末装置で読み取り、読み取った情報を反映した情報を前記通信端末装置で取得することによって前記データベース上の図書固有の情報を取得することを特徴とする。【００１２】請求項７に記載された発明は、図書に添付されたＩＣタグに記憶された図書固有の情報を前記情報端末装置で読み取り、読み取った情報を反映した情報を前記通信端末装置で取得することによって前記データベース上の図書固有の情報を取得することを特徴とする。
【発明の効果】
【００１３】以上のように本発明によれば、顧客が書店に来店することによって実物の図書を使用しなくても図書情報を取得することが可能となり、顧客が所有する通信端末装置に図書情報が表示されるため、書店に専用の図書表示端末装置を設置した場合に比べて必要な費用を減らすことができ、図書情報を同時に閲覧できる顧客数が設置された装置台数に制限されることはなくなる。この結果顧客の利便性を高めるとともに来店頻度も高めることが期待でき書店経営における収益向上が期待できる。【００１４】また本発明によれば、特定の図書情報を取得した顧客が来店した店舗を識別して集計することが可能となり、この情報を書店あるいは出版社などの図書情報提供者などが経営判断に活かすことが可能となる。
【発明を実施するための最良の形態】
【００１５】次に、本発明を実施するための最良の形態について一例を挙げて具体的に説明する。
【実施例１】
【００１６】図１は本発明による図書情報提供システムの全体構成の一実施例を示すブロック図である。図１のシステムにおいては、通信端末装置１００として例えばインターネット４００に接続して情報を取得表示する機能および二次元コードを撮影して判読する機能を有する携帯電話機が用いられる。インターネット４００には図書情報データベース２０１を有する外部サーバー２００が接続されている。一方、書店３００には情報装置３０１として例えばパソコンが設置され、情報端末装置３０１の表示画面上には外部サーバーに接続するためのＵＲＬを含む情報が二次元コード３０２として表示されている。この二次元コード３０２は時刻情報を含んで自動的に生成され、情報端末装置３０１の画面上に表示される。【００１７】顧客は通信端末装置１００を用いて情報端末装置３０１上に表示または印刷された二次元コード３０２を取得しその中に含まれるＵＲＬ情報によって外部サーバー２００に接続する。外部サーバー２００では通信端末装置１００が取得した二次元コード３０２に含まれる情報の内例えば時刻が設定された範囲内にあるかなどあらかじめ定められた規則にしたがっているか否かを判定し、規則にしたがっていれば図書情報データベース２０１から図書情報を取得することが可能となる。【００１８】図２には前記外部サーバー２００での判定処理のフローチャートの一例を示す。【００１９】図２において、処理が開始されると、まずステップＳ１で通信端末装置１００が取得した時刻を含む情報を読み込む。次にステップＳ２では読み込んだ時刻があらかじめ定められた範囲内にあるか否かを判定する。範囲内にある場合はステップＳ３に進み、図書情報データベース２０１から図書情報を取得することが可能となるが、範囲外の場合は図書情報を取得することはできない。
【実施例２】
【００２０】図３には通信端末装置１００が情報端末装置３０１から情報を取得する方法の他の実施例を示す。情報端末装置３０１ａはＩＣカードリードライタ３０３を有し、ＩＣカードリーダ機能を有する通信端末装置１００に電磁波を介して情報を提供する。
【実施例３】
【００２１】図４には実物の図書と対応した情報を図書情報データベース２０１から取得する実施例を示す。図書５００に印刷されたバーコード５０１によって表示されたＩＳＢＮコード（国際標準図書番号）などの図書固有の情報をバーコードリーダ３０４を有する情報端末装置３０１ｂで読み取り、読み取った図書固有の情報を反映させた情報を通信端末装置１００で取得することにより図書情報データベース２０１から図書固有の情報に対応した図書情報を取得する。
【実施例４】
【００２２】図５には実物の図書と対応した情報を図書情報データベース２０１から取得する他の実施例を示す。図書５００に添付されたＩＣタグ５０２に記憶されたＩＳＢＮコードなどの図書固有の情報をＩＣタグリーダ３０５を有する情報端末装置３０１ｃで読み取り、読み取った図書固有の情報を反映させた情報を通信端末装置１００で取得することにより図書情報データベース２０１から図書固有の情報に対応した図書情報を取得する。【００２３】なお本発明は、上述の説明した実施形態に限定されるものではなく、書店３００での情報取得方法や外部サーバー２００での前記取得情報の判定処理において種々の変形が可能とされるものである。
【産業上の利用可能性】
【００２４】本発明の図書情報取得システムは、書店顧客の利便性を向上させるとともに書店経営における収益向上が可能となる。
【図面の簡単な説明】
【００２５】
【図１】本発明の図書情報提供システムおよび方法の一実施形態の全体構成を示すブロック図である。
【図２】本発明の図書情報取得のための判定処理の実施例を示すフローチャート図である。
【図３】本発明の図書情報提供システムを構成する情報端末装置の他の実施形態を示すブロック図である。
【図４】本発明の図書情報提供システムを構成する情報端末装置の他の実施形態を示すブロック図である。
【図５】本発明の図書情報提供システムを構成する情報端末装置の他の実施形態を示すブロック図である。
【符号の説明】
【００２６】１００    通信端末装置
２００    外部サーバー
２０１    図書情報データベース
３００    書店
３０１    情報端末装置
３０１ａ  情報端末装置
３０１ｂ  情報端末装置
３０１ｃ  情報端末装置
３０２    二次元コード
３０３    ＩＣカードリーダライタ
３０４    バーコードリーダ
３０５    ＩＣタグリーダ
４００    インターネット
５００    図書
５０１    バーコード
５０２    ＩＣタグ
【図１】
2010061625.tif 000003
【図２】
2010061625.tif 000004
【図３】
2010061625.tif 000005
【図４】
2010061625.tif 000006
【図５】
2010061625.tif 000007